(57)【要約】【課題】従来の空気清浄機では、ベッド上を清浄化できるが、清浄化気流がベッドの外にはずれベッド上全体を清浄化できなくなったり、ベッド上で発生した塵埃や菌、アレルゲン、ウィルス等を周囲に吹き飛ばしてしまったりするという課題を有していた。【解決手段】ベッド部８と、送風ファン部９と、フィルタ部１０と、前記ベッド部８の頭側に設けられ前記ベッド部８の足側に向けた清浄化気流１６を発生させる吹き出し部１１と、前記ベッド部８の足側に設けられる吸い込み部１２と、前記吸い込み部１２と前記フィルタ部１０と前記送風ファン部９と前記吹き出し部１１を連結するダクト部１３を備え、前記吸い込み部１２は前記清浄化気流１６の下流域１７に設けられ前記清浄化気流１６を吸引する構成とした空気清浄機。【選択図】図１
2011202907.tif 000002
【特許請求の範囲】
【請求項１】
ベッド部と、送風ファン部と、フィルタ部と、前記ベッド部の頭側に設けられ前記ベッド部の足側に向けた清浄化気流を発生させる吹き出し部と、前記ベッド部の足側に設けられる吸い込み部と、前記吸い込み部と前記フィルタ部と前記送風ファン部と前記吹き出し部を連結するダクト部を備え、前記吸い込み部は前記清浄化気流の下流域に設けられ前記清浄化気流を吸引する構成とした空気清浄機。
【請求項２】
吸い込み部は、吹き出し部に対して略対向して設けられる構成とした請求項１に記載の空気清浄機。
【請求項３】
吸い込み部は、ベッド部の上面よりも高い位置に設けられる構成とした請求項１に記載の空気清浄機。
【請求項４】
吸い込み部は、垂直方向からベッド部上面側に傾けて設置され、ベッド部の上面の低い空間から多くの空気を吸い込む構成とした請求項３に記載の空気清浄機。
【請求項５】
吸い込み部は、ベッド部の上面の高さと同じ高さでベッド部との間に段差や隙間がないように設けた請求項１に記載の空気清浄機。
【請求項６】
吸い込み部と吹き出し部は、風向変更手段を有し吸い込み部の風向変更手段は吹き出し部の風向変更手段に従って連携動作する構成とした請求項１に記載の空気清浄機。
【発明の詳細な説明】
【技術分野】
【０００１】
本発明は、気流を発生させ室内の局所的な空間を清浄化する空気清浄機に関するものである。
【背景技術】
【０００２】
従来、この種の空気清浄機としては、ベッドの頭側に設けられた吹き出し部からベッド上に清浄化気流を発生させ、ベッド上を清浄にしているものがあった。（例えば特許文献１参照）。
【０００３】
図７は、特許文献１に記載された従来の空気清浄機の側面図を示すものである。
【０００４】
図７において、空気清浄機はベッド部１を有しており、ベッド部１の下方には送風ファン部２とフィルタ部３が配置されている。ベッド部１の頭側にはベッド部１の足側に向けて清浄化気流４を発生させる吹き出し部５が設けられており、ベッド部１の足側の下方には吸い込み部６が設けられている。吸い込み部６とフィルタ部３と送風ファン部２と吹き出し部５はダクト部７で連結されている。
【先行技術文献】
【特許文献】
【０００５】
【特許文献１】特開２０００−１７１０６７号公報
【発明の概要】
【発明が解決しようとする課題】
【０００６】
しかしながら、従来の空気清浄機では、ベッド部の頭側に設けられた吹き出し部から清浄化気流が出されることで、清浄化気流はベッド部上の頭側から足側まで流れた後にそのまま勢いで自然とほぼ真っ直ぐにベッドの周囲へ流れるため、ベッド部頭側に清浄な空気を届けると同時にベッド部上で発生した塵埃や菌、アレルゲン、ウィルス等の汚染物質をベッド部足側やベッドの周囲といった下流域に搬送することができるが、清浄化気流はベッド部上の就寝者や病人の体勢などの変化に対して容易に変化して下流域まで到達しにくいという課題を有していた。また、ベッド上にいる就寝者や病人によりベッド部上で発生した汚染物質はベッドの周囲へと吹き飛ばされてしまうという課題を有していた。
【０００７】
本発明は、上記従来の課題を解決するもので、ベッド部上の全体を清浄化し同時にベッド部上で発生した汚染物質を回収することができる空気清浄機の提供を目的とする。
【課題を解決するための手段】
【０００８】
前記従来の課題を解決するために、本発明の空気清浄機では、ベッド部の足側に設けられる吸い込み部を清浄化気流の下流域に設けたものである。
【０００９】
吹き出し部から流された清浄化気流が吸い込み部の影響を受けない場合に自然と流れつく空間である清浄化気流の下流域に吸い込み部を設けることで、ベッド部の下方といった下流域でない空間に吸い込み部を設けた場合に清浄化気流を引き込むために発生する流れの不自然な曲がりを発生させることが無く、清浄化気流は吹き出し部から吹き出される力に加えて吸い込み部で吸い込まれる力も加わることになるため、清浄化気流は頭側から足側までより確実に流れるようになる。同時に清浄化気流はベッド部足側から吸い込み部へと流れ吸い込み部で吸引されベッド部の周囲へは流れないため、清浄化気流によって運ばれるベッド上で発生した塵埃や菌、アレルゲン、ウィルス等の汚染物質が周囲に吹き飛ばされることなく吸い込み部によって回収できる。
【発明の効果】
【００１０】
本発明の空気清浄機は、ベッド部上の全体に清浄化気流を流すことができるため、ベッド部上の全体を清浄化でき、同時にベッド部上で発生する塵埃や菌、アレルゲン、ウィルス等の汚染物質を周囲に吹き飛ばすことが無いため、周囲の空間も清浄に保つことができる。
【図面の簡単な説明】
【００１１】
【図１】本発明の実施の形態１における空気清浄機の側断面図
【図２】本発明の実施の形態２における空気清浄機の側断面図
【図３】同、空気清浄機の他の構成例を示す図
【図４】本発明の実施の形態３における空気清浄機の側断面図
【図５】同、風向変更時の空気清浄機の側断面図
【図６】同、風向変更時の空気清浄機の平面図
【図７】同、従来の空気清浄機の側断面図
【発明を実施するための形態】
【００１２】
第１の発明は、ベッド部と、送風ファン部と、フィルタ部と、前記ベッド部の頭側に設けられ前記ベッド部の足側に向けた清浄化気流を発生させる吹き出し部と、前記ベッド部の足側に設けられる吸い込み部と、前記吸い込み部と前記フィルタ部と前記送風部と前記吹き出し部を連結するダクト部を備え、前記吸い込み部は前記清浄化気流の下流域に設けられ前記清浄化気流を吸引する構成とした空気清浄機とすることにより、清浄化気流はベッド部の下方といった下流域でない空間に吸い込み部を設けた場合に清浄化気流を引き込むために発生する流れの不自然な曲がりを発生させることが無く、清浄化気流は吹き出し部から吹き出される力に加えて吸い込み部で吸い込まれる力も加わることになるため、清浄化気流は頭側から足側までより確実に流れるようになる。同時に清浄化気流はベッド部足側から吸い込み部へと流れ吸い込み部で吸引されベッド部の周囲へは流れないため、清浄化気流によって運ばれるベッド上で発生した塵埃や菌、アレルゲン、ウィルス等の汚染物質が周囲に吹き飛ばされることがなく吸い込み部によって回収できる。
【００１３】
第２の発明は、特に第１の発明の吸い込み部を、吹き出し部に対して略対向して設けられる構成とすることにより、吸い込み部付近で清浄化気流の方向が大きく方向が変わることがなくなるため、清浄化気流はより確実にベッド頭側から足側に流れて吸い込み部で吸引されるようになる。また清浄化気流の方向が大きく方向を変える際、慣性によって汚染物質が清浄化気流から飛び出し周囲に吹き飛ばされることがないため、周囲の空間を清浄に保つことができる。
【００１４】
第３の発明は、特に第１の発明の吸い込み部を、ベッド部の上面よりも高い位置に設けられる構成とすることにより、吸い込み部がベッド上にいる就寝者や病人、またはベッド上の寝具などによって塞がれ清浄化気流が吸い込み部で吸引されなくなることがない。
【００１５】
第４の発明は、特に第３の発明の吸い込み部を、鉛直方向からベッド部上面側に傾けて設置され、ベッド部の上面の低い空間から多くの空気を吸い込む構成とすることにより、清浄化気流はベッド上面に沿って流れるようになり、壁面に沿って流れるコアンダ効果によって清浄化気流はベッド部の上面から離れにくくなるためベッド部の足側まで到達しやすくなる。したがってベッド上で発生した汚染物質を確実に吸い込み部で回収できる。
【００１６】
第５の発明は、特に第１の発明の吸い込み部を、ベッド部の上面の高さと同じ高さでベッド部との間に段差や隙間がないように設けることにより、吸い込み部がベッド部上面より高い位置に設けられた場合に起こりうる、ベッド部上面に沿って移動してきた汚染物質が吸い込み部まで持ち上がらずにベッド部上面に残ってしまうことが無く、そのままベッド部上に沿って移動させることで吸い込み部で回収でき、ベッド部上を清浄化することができる。また吸い込み部がベッド部上面より低い位置に設けられた場合に起こりうる、ベッド部上面に沿って移動してきた汚染物質がベッド部上面から落ちた場合にその勢いで吸い込み部を通り過ぎ周囲にまき散らされることが無いため、周囲の空間も清浄に保つことができる。
【００１７】
第６の発明は、特に第１の発明の吸い込み部と吹き出し部を、風向変更手段を有し吸い込み部の風向変更手段は吹き出し部の風向変更手段に従って連携動作する構成とすることにより、清浄化したい空間の位置が変わり吹き出し部から出される清浄化気流の風向が変化しても吸い込み部は清浄化気流の下流域に風向変更手段を向けて吸引を行えるため、確実にベッド部上を清浄にすることができ、周囲の空間も清浄に保つことができる。
【００１８】
以下、本発明の実施の形態について、図面を参照しながら説明する。なお、本実施の形態によって本発明が限定されるものではない。
【００１９】
（実施の形態１）
図１は、本発明の実施の形態１における空気清浄機の側断面図を示すものである。
【００２０】
図１において、空気清浄機にはベッド部８が設けられている。ベッド部８の下方には送風ファン部９とフィルタ部１０が設けられており、ベッド部８の頭側には吹き出し部１１が配置され、ベッド部８の足側には吸い込み部１２が配置されている。また吸い込み部１２とフィルタ部１０と送風ファン部９と吹き出し部１１はダクト部１３によって連結されている。ベッド部８には就寝者１４がおり、ベッド部８上には塵埃や菌、アレルゲン、ウィルス等の汚染物質１５が存在している。
【００２１】
吹き出し部１１から就寝者１４に向けて清浄化気流１６が形成されている。清浄化気流１６はベッド部８の頭側から足側に向けて、ベッド部８の上面及び就寝者１４の上を沿って流れている。ベッド部８の足側で、吹き出し部１１によって形成された清浄化気流１６が自然と到達する下流域１７に吸い込み部１２は位置している。清浄化気流１６は吸い込み部１２から空気清浄機の内部へと吸引される。
【００２２】
吸い込み部１２はベッド部８の上面よりも高い位置に設けられており、吹き出し部１１と吸い込み部１２は略対向して設けられている。また、吸い込み部１２は垂直方向からベッド部８の上面側に傾けて設置されており、ベッド部８上方の高い位置の空間からは空気を吸わず、ベッド部８の上面側の低い空間から主に空気を吸い込む構成となっている。
【００２３】
以上のように構成された空気清浄機について、以下その動作、作用を説明する。
【００２４】
まず空気清浄機が動作されると、送風ファン部９がダクト部７の内部に空気を流す。吸い込み部１２から吸引された空気がフィルタ部１０によって塵埃や菌、アレルゲン、ウィルス等の汚染物質１５が取り除かれ清浄化される。この清浄化された空気は送風ファン部９を経て吹き出し部１１へと到達し、吹き出し部１１から清浄化気流１６としてベッド部８上へと吹き出される。
【００２５】
吹き出し部１１はベッド部８の頭側に設けられているため、清浄化気流１６はベッド部８上にいる就寝者１４の頭にすぐに到達し、ベッド部８上は頭側から清浄化されていく。就寝者１４は清浄化気流１６によって届けられた清浄な空気で呼吸するため快適であると同時に汚染物質１５に害される危険が無い。
【００２６】
続いて清浄化気流１６はベッド部８の頭側から足側に向かって流れる。ここで吸い込み部１２はベッド部８の上面側の低い空間から主に空気を吸い込む構成となっているため清浄化気流１６はベッド部８の上面に沿って流れる。壁面に沿って流れるコアンダ効果によって清浄化気流１６はベッド部８の上面から離れにくくなりベッド部８の足側まで到達しやすくなる。
【００２７】
しかしその過程で、例えば就寝者１４が清浄化気流１６の流れを妨げる体勢になっている場合や、布団などの寝具が清浄化気流１６の流れを妨げる障害物と場合などには、それら障害によって清浄化気流１６はベッド部８の周囲へと出るよう風向を変えられてしまうことがある。しかしこの際も吸い込み部１２はベッド部８の上面よりも高い位置に設けられているため、吸い込み部１２が就寝者１４や寝具によって塞がれることはなく吸い込み部１２で吸引を行うことが出来る。吸い込み部１２吸引によって清浄化気流１６は再び本来の下流域へと風向を変え、最終的には足側に向かう流れとなる。
【００２８】
清浄化気流１６は就寝者１４に清浄な空気を届けると同時に汚染物質１５を流れに乗せて吸い込み部１２へと搬送していく。清浄化気流１６はベッド部８上を頭側から足側まで流れるため、ベッド部８上の空間全体に存在する汚染物質１５が清浄化気流１６によって除去される。
【００２９】
ベッド部８の足側まで到達した清浄化気流１６は吸い込み部１２で吸引される。吸い込み部１２と吹き出し部１１は略対向に配置されているため、清浄化気流１６は大きく方向を曲げることなくほぼ真っ直ぐに吸い込み部１２へと吸引されていく。清浄化気流１６が大きく曲がらないことから、慣性によって汚染物質１５が清浄化気流１６の流れから外れることもなく吸い込み部１２へと回収される。そのため周囲に汚染物質１５が吹き飛ばされることがなく、周囲の空間も清浄に保つことができる。
【００３０】
吸い込み部１２から空気清浄機内へと吸引された清浄化気流１６はフィルタ部１０で汚染物質１５を除去された後、再び吹き出し部１１から清浄化気流１６としてベッド部８上へと吹き出される。
【００３１】
（実施の形態２）
図２は、本発明の実施の形態２における空気清浄機の側断面図を示すものである。
【００３２】
図２において、空気清浄機にはベッド部８が設けられている。ベッド部８の下方には送風ファン部９とフィルタ部１０が設けられており、ベッド部８の頭側には吹き出し部１１が配置され、ベッド部８の足側には吸い込み部１２が配置されている。また吸い込み部１２とフィルタ部１０と送風ファン部９と吹き出し部１１はダクト部１３によって連結されている。ベッド部８には就寝者１４がおり、ベッド部８上には塵埃や菌、アレルゲン、ウィルス等の汚染物質１５が存在している。
【００３３】
吹き出し部１１から就寝者１４に向けて清浄化気流１６が形成されている。清浄化気流１６はベッド部８の頭側から足側に向けて、ベッド部８の上面及び就寝者１４の上を沿って流れている。ベッド部８の足側で、吹き出し部１１によって形成された清浄化気流１６が自然と到達する下流域１７の側面に近い位置に吸い込み部１２は設けられている。清浄化気流１６は吸い込み部１２から空気清浄機の内部へと吸引される。
【００３４】
吹き出し部１１は垂直方向からベッド部８の上面側に傾けて設置されている。また吸い込み部１２はベッド部８の上面の高さと同じ高さに設けられておりベッド部８との間に段差や隙間は無い。そのため吸い込み部１２がベッド部８の上面より高い位置に設けられた場合に起こりうる、汚染物質１５が吸い込み部１２まで持ち上がらずにベッド部８の上面に残ってしまうことが無い。また吸い込み部１２がベッド部８の上面より低い位置に設けられた場合に起こりうる、ベッド部８の上面にそって移動してきた汚染物質１５がベッド部８の上面から落ちた場合にその勢いで吸い込み部１２を通り過ぎ周囲にまき散らされることも無い。ベッド部８の上面に沿って移動して来た汚染物質１５はそのまま吸い込み部１２で回収される。
【００３５】
以上のように構成された空気清浄機について、以下その動作、作用を説明する。
【００３６】
まず空気清浄機が動作されると、送風ファン部９がダクト部７の内部に空気を流す。吸い込み部１２から吸引された空気がフィルタ部１０によって汚染物質１５が取り除かれ清浄化される。この清浄化された空気は送風ファン部９を経て吹き出し部１１へと到達し、吹き出し部１１から清浄化気流１６としてベッド部８上へと吹き出される。
【００３７】
吹き出し部１１はベッド部８の頭側に設けられているため、清浄化気流１６はベッド部８上にいる就寝者１４の頭にすぐに到達し、ベッド部８上は頭側から清浄化されていく。就寝者１４は清浄化気流１６で呼吸するため快適であると同時に汚染物質１５に害される危険が無い。
【００３８】
続いて清浄化気流１６はベッド部８の頭側から足側に向かって流れる。しかしその過程で、例えば就寝者１４が清浄化気流１６の流れを妨げる体勢になっている場合や、布団などの寝具が清浄化気流１６の流れを妨げる障害物と場合などには、それら障害によって清浄化気流１６はベッド部８の周囲へと出るよう風向を変えられてしまうことがある。しかし吸い込み部１２によって吸引されることで清浄化気流１６は再び風向を変え、最終的には足側に向かう流れとなる。
【００３９】
清浄化気流１６は就寝者１４に清浄な空気を届けると同時に汚染物質１５を流れに乗せて吸い込み部１２へと搬送していく。清浄化気流１６はベッド部８上を頭側から足側まで流れるため、ベッド部８上の空間全体に存在する汚染物質１５が清浄化気流１６によって除去される。汚染物質１５の中でも比重が大きいものは清浄化気流１６にのって浮遊しないが、清浄化気流１６に押されてベッド部８上を転がりつつ足側へと搬送される。これによってベッド部８上の全体が清浄化される。
【００４０】
ベッド部８の足側まで到達した清浄化気流１６は吸い込み部１２で吸引され、清浄化気流１６にのって流れる汚染物質１５も吸い込み部１２に吸引される。また汚染物質１５の中でも比重が大きいものは清浄化気流１６に押されてベッド部８上を転がった後に落下するように吸い込み部１２の内部へと入っていく。そのため周囲に汚染物質１５が吹き飛ばされることがなく、周囲の空間も清浄に保つことができる。
【００４１】
なお、本実施の形態において吸い込み部１２は水平に設置され、ベッド面８と同一平面となっているが図３に示した空気清浄機の他の構成例のように吸い込み部１２の端部のみベッド部８の上面の高さと同じ高さに設ける構成としてもかまわない。
【００４２】
（実施の形態３）
図４は、本発明の実施の形態３における空気清浄機の側断面図を示すものである。
【００４３】
図４において、空気清浄機にはベッド部８が設けられている。ベッド部８の下方には送風ファン部９とフィルタ部１０が設けられており、ベッド部８の頭側には吹き出し部１１が配置され、ベッド部８の足側には吸い込み部１２が配置されている。また吸い込み部１２とフィルタ部１０と送風ファン部９と吹き出し部１１はダクト部１３によって連結されている。ベッド部８には就寝者１４が横になった状態で存在し、ベッド部８上には塵埃や菌、アレルゲン、ウィルス等の汚染物質１５が存在している。
【００４４】
吹き出し部１１と吸い込み部１２は風向変更手段１８を有している。また風向変更手段１８は無線連携具１９を有している。吸い込み部側の風向変更手段１８Ｂは吹き出し部側の風向変更手段１８Ａが操作されると、その情報を無線連携具１９によって取得し動作する構成となっている。吹き出し部側の風向変更手段１８Ａは就寝者１４の頭に向くようベッド部８の上面に向けられており、吸い込み部側の風向変更手段１８Ｂもベッド部８に向けられている。
【００４５】
吹き出し部１１から就寝者１４に向けて清浄化気流１６が形成されている。清浄化気流１６は吹き出し部側の風向変更手段１８Ａによってベッド部８に向けられており、ベッド部８の上面に当たった後に頭側から足側に向けてベッド部８の上面及び就寝者１４の上を沿って流れる。ベッド部８の足側で、吹き出し部１１によって形成された清浄化気流１６が自然と到達する下流域１７に吸い込み部１２は位置している。清浄化気流１６は吸い込み部１２から空気清浄機の内部へと吸引される。
【００４６】
図５は、本発明の実施の形態３における風向変更時の空気清浄機の側断面図を示すものである。
【００４７】
図５において、就寝者１４はベッド部８上で座った状態になっている。
【００４８】
吹き出し部側の風向変更手段１８Ａは就寝者１４自身や第三者（図示せず）によって、就寝者１４の顔の位置へと向けられ上向きになっている。吸い込み部側の風向変更手段１８Ｂも無線連携具１９により吹き出し部側の風向変更手段１８Ａの動作情報を取得して動作し、上向きの状態になっている。
【００４９】
吹き出し部１１から就寝者１４の顔近くに向けて清浄化気流１６が形成されている。清浄化気流１６は吹き出し部１１から吹き出された後、就寝者１４の顔近くに到達する。吸い込み部１２は吸い込み側風向変更手段１８Ｂを上向きにしているため、ベッド部８の上方を流れる清浄化気流１６をより強く吸引し、それによって清浄化気流１６は方向を変え最終的に吸い込み部１２に吸引される。
【００５０】
図６は、本発明の実施の形態３における風向変更時の空気清浄機の平面図を示すものである。
【００５１】
図６において、就寝者１４はベッド部８上の側面側に偏った位置に横たわっている。
【００５２】
吹き出し部側の風向変更手段１８Ａは就寝者１４自身や第三者（図示せず）によって、就寝者１４の顔の位置へと向けられベッド部８の側面方向へと向けられている。吸い込み部側の風向変更手段１８Ｂも無線連携具１９により吹き出し部側の風向変更手段１８Ａの動作情報を取得して動作し、ベッド部８の側面方向へ向けられている。
【００５３】
吹き出し部１１から就寝者１４の顔近くに向けて清浄化気流１６が形成されている。清浄化気流１６は吹き出し部１１から吹き出された後、就寝者１４の顔近くに到達する。吸い込み部１２は吸い込み側風向変更手段１８Ｂをベッド部８の側面側に向けているため、ベッド部８の側面側を流れる清浄化気流１６をより強く吸引し、それによって清浄化気流１６は方向を変え最終的に吸い込み部１２に吸引される。
【００５４】
以上のように構成された空気清浄機について、以下その動作、作用を説明する。
【００５５】
まず空気清浄機が動作されると、送風ファン部９がダクト部７の内部に空気を流す。吸い込み部１２から吸引された空気がフィルタ部１０によって汚染物質１５が取り除かれ清浄化される。この清浄化された空気は送風ファン部９を経て吹き出し部１１へと到達し、吹き出し部１１から清浄化気流１６として吹き出される。
【００５６】
吹き出し部１１には吹き出し側風向変更手段１８Ａが設けられているため、清浄化気流１６の風向は吹き出し側風向変更手段１８Ａの方向によって変化する。
【００５７】
吹き出し側風向変更手段１８Ａは就寝者１４自身や第三者（図示せず）によって操作され就寝者１４の頭に向けられる。また吸い込み側風向変更手段１８Ｂもそれに伴って動作し清浄化気流１６が吹き出される方向に向けられる。例えば、就寝者１４が横たわっている状態であれば風向変更手段１８は両者共に下に向け、就寝者１４が座った状態であれば風向変更手段１８は両者とも上に向けられる。また、図６に示したように就寝者１４がベッド部８の側面側に偏った状態でいる場合には、吹き出し側風向変更手段１８Ａと吸い込み側風向変更手段１８Ｂは正面から見ると左右逆向きに設定される。
【００５８】
いずれの場合も吹き出し側風向変更手段１８は就寝者１４の頭に向けられているため、清浄化気流１６は就寝者１４の頭に到達する。就寝者１４は清浄化気流１６で呼吸するため快適であると同時に汚染物質１５に害される危険が無い。清浄化気流１６はその後吸い込み部１２によって吸引されて方向を変え汚染物質１５と共に吸い込み部１２で回収される。そのためベッド部８上を清浄化でき、周囲の空間も清浄に保つことができる。
【産業上の利用可能性】
【００５９】
以上のように、本発明にかかる空気清浄機は気流によって局所的な空間を清浄化する装置に適用できる。
【符号の説明】
【００６０】
８    ベッド部
９    送風ファン部
１０  フィルタ部
１１  吹き出し部
１２  吸い込み部
１３  ダクト部
１６  清浄化気流
１７  下流域
１８  風向変更手段
【図１】
2011202907.tif 000003
【図２】
2011202907.tif 000004
【図３】
2011202907.tif 000005
【図４】
2011202907.tif 000006
【図５】
2011202907.tif 000007
【図６】
2011202907.tif 000008
【図７】
2011202907.tif 000009